(57)【要約】【課題】作業者の手の届かない高所で外壁パネル間の目地からシール材の一部が外れた場合にも、梯子をかけることなく、シール材を目地に押し込められるようにする。【解決手段】シール材押込み工具５１は、外壁パネル８１間の目地８６にシール材８８を押し込む工具であって、ローラ３０とローラ取付部２０と伸縮ポール１０とを備えている。ローラ３０は、目地８６に当接させて目地８６の長さ方向に回転移動させることにより、シール材８８を目地８６に押し込むため部材である。ローラ取付部２０は、ローラ３０が回転可能に取り付けられている。伸縮ポール１０は、伸縮自在に構成され、先端部にローラ取付部２０が取り付けられている。【選択図】図２
2019116811.tif 000002
【特許請求の範囲】
【請求項１】
外壁パネル間の目地にシール材を押し込む工具であって、
前記目地に当接させて前記目地の長さ方向に回転移動させることにより、前記シール材を前記目地に押し込むためのローラと、
前記ローラが回転可能に取り付けられたローラ取付部と、
伸縮自在に構成され、先端部に前記ローラ取付部が取り付けられた伸縮ポールと、
を備えているシール材押込み工具。
【請求項２】
前記伸縮ポールは、前記伸縮ポールの長さ方向に並ぶ複数本の筒体を有し、
各前記筒体は、前記伸縮ポールにおいて、相対的に基端側を構成するものよりも相対的に先端側を構成するものの方が、順次外周が小さくなっており、
相対的に基端側の筒体の内側に相対的に先端側の筒体が収納されることで前記伸縮ポールが縮まり、相対的に基端側の筒体の内側から相対的に先端側の筒体が引き出されることで前記伸縮ポールが伸びるように構成された請求項１記載のシール材押込み工具。
【請求項３】
前記伸縮ポールの長さ方向に直交し且つ前記ローラの幅方向に直交する方向を前後方向として、最も基端側の前記筒体の前後方向の大きさよりも、前記ローラの直径の方が大きい請求項２記載のシール材押込み工具。
【請求項４】
前記伸縮ポールを最も伸ばしたときの前記シール材押込み工具の全長は、３〜２０ｍである請求項１〜３のいずれか一項に記載のシール材押込み工具。
【請求項５】
前記ローラ取付部の一端部に前記ローラが前記回転可能に取り付けられ、前記ローラ取付部の他端部が前記伸縮ポールの先端部に、前記ローラの軸線と平行に延びる軸線回りに回動調節可能に取り付けられた請求項１〜４のいずれか一項に記載のシール材押込み工具。
【発明の詳細な説明】
【技術分野】
【０００１】
本発明は、外壁パネル間の目地にシール材を嵌め込む際に、シール材に力を加えるための工具に関する。
【背景技術】
【０００２】
複数の外壁パネルを並べた構成の外壁においては、互いに隣り合う外壁パネルどうしの間に目地が形成される。目地には、外壁パネルよりも外側の水が内側に浸入するのを防止する必要があるため、シール材が充填される。特許文献１，２には、シール材を目地に充填するためのローラを備えた工具が示されている。
【先行技術文献】
【特許文献】
【０００３】
【特許文献１】特許６１２１２７７号公報
【特許文献２】特許６０６５９４９号公報
【発明の概要】
【発明が解決しようとする課題】
【０００４】
特許文献１，２の工具は、建物等を新たに設ける際に、外壁の目地にシール材を充填するための工具であるため、外壁周囲に足場がある状況下での使用を想定している。そのため、例えば、建物等の完成後に地震などの外部要因により、建物の２階部分などの高所でシール材の一部が目地から外れた場合には、梯子等をかけて作業しなくはならず、手間が多い。
【０００５】
本発明は、上記事情に鑑みてなされたものであり、作業者の手の届かない高所でシール材の一部が目地から外れた場合にも、梯子をかけることなく、シール材を目地に押し込められるようにすることを、本発明の主たる目的とする。
【課題を解決するための手段】
【０００６】
以下、上記課題を解決するのに有効な手段につき、必要に応じて作用、効果等を示しつつ説明する。なお、以下においては、理解の容易のため、図面において対応する構成を示す符号を括弧書きで示すが、本発明は、図面に示す具体的構成や形状に限定されるものではない。
【０００７】
第１発明は、外壁パネル（８１）間の目地（８６）にシール材（８８）を押し込む工具であって、前記目地（８６）に当接させて前記目地（８６）の長さ方向に回転移動させることにより、前記シール材（８８）を前記目地（８６）に押し込むためのローラ（３０）と、前記ローラ（３０）が回転可能に取り付けられたローラ取付部（２０）と、伸縮自在に構成され、先端部に前記ローラ取付部（２０）が取り付けられた伸縮ポール（１０）と、を備えているシール材押込み工具である。
【０００８】
第１発明によれば、作業者（Ｈ）の手の届かない高所で目地（８６）からシール材（８８）の一部が外れた場合にも、作業者（Ｈ）は、伸縮ポール（１０）を伸ばしてから、伸縮ポール（１０）の基端側を持ってローラ（３０）を操作することにより、梯子等をかけることなく、シール材（８８）を目地（８６）に押し込むことができる。
【０００９】
第２発明は、第１発明において、前記伸縮ポール（１０）は、前記伸縮ポール（１０）の長さ方向に並ぶ複数本の筒体（１１ａ〜１１ｅ）を有し、各前記筒体（１１ａ〜１１ｅ）は、前記伸縮ポール（１０）において、相対的に基端側を構成するものよりも相対的に先端側を構成するものの方が、順次外周が小さくなっており、相対的に基端側の筒体の内側に相対的に先端側の筒体が収納されることで前記伸縮ポール（１０）が縮まり、相対的に基端側の筒体の内側から相対的に先端側の筒体が引き出されることで前記伸縮ポール（１０）が伸びるように構成されたものである。第２発明によれば、第１発明をシンプルに実施できる。
【００１０】
第３発明は、第２発明において、前記伸縮ポール（１０）の長さ方向に直交し且つ前記ローラ（３０）の幅方向に直交する方向を前後方向として、最も基端側の前記筒体（１１ｅ）の前後方向の大きさよりも、前記ローラ（３０）の直径の方が大きいものである。
【００１１】
第３発明によれば、ローラ（３０）の中心線が伸縮ポール（１０）の中心線の延長線上に配され、且つ伸縮ポール（１０）が鉛直に立てられた状態でも、最も基端側の筒体（１１ｅ）の前端よりもローラ（３０）の前端の方が前方に突出する。そのため、最も基端側の筒体（１１ｅ）又はそれを持つ作業者（Ｈ）の手が外壁（８０）の下部に当接するよりも先に、ローラ（３０）をシール材（８８）の目的部分に当接させ易い。そのため、シール材押込み工具の狭小地等での使い勝手がよい。
【００１２】
第４発明は、第１〜第３発明において、前記伸縮ポール（１０）を最も伸ばしたときの前記シール材押込み工具の全長は、３〜２０ｍであるものである。第４発明によれば、シール材押込み工具の全長が３ｍ以上なので、かなりの高所でも対応できる。また、前記長さは２０ｍ以下なので、シール材押込み工具が無駄に重くなりすぎることもない。
【００１３】
第５発明は、前記ローラ取付部（２０）の一端部に前記ローラ（３０）が前記回転可能に取り付けられ、前記ローラ取付部（２０）の他端部が前記伸縮ポール（１０）の先端部に、前記ローラ（３０）の軸線と平行に延びる軸線回りに回動調節可能に取り付けられたものである。
【００１４】
第５発明によれば、前記回動調節をすることにより、伸縮ポール（１０）の先端部に対するローラ（３０）の位置を、シール材（８８）に力を加えやすい位置に適宜調節することができる。また、作業者（Ｈ）が伸縮ポール（１０）を持つ角度が変わっても、前記回動調節をすることにより、ローラ（３０）を適切な角度で目地（８６）に当接させることができる。
【図面の簡単な説明】
【００１５】
【図１】第１実施形態のシール材押込み工具を示す側面図及び背面図
【図２】シール材押込み工具の使用時を示す斜視図
【図３】シール材押込み工具の使用時を示す平面断面図
【図４】シール材押込み工具において、ローラの直径を変えた場合を示す側面図
【図５】第２実施形態のシール材押込み工具を示す側面図
【図６】第１及び第３実施形態のシール材押込み工具を示す底面断面図
【発明を実施するための形態】
【００１６】
次に本発明の実施形態を図面を参照しつつ説明する。但し、本発明は実施形態に限定されるものではなく、発明の趣旨を逸脱しない範囲で適宜変更して実施することもできる。
【００１７】
［第１実施形態］
第１実施形態は、第１〜第４発明を実施したものである。図１（ａ）は、第１実施形態のシール材押込み工具５１を示す側面図である。シール材押込み工具５１は、伸縮ポール１０と、ローラ取付部２０と、ローラ３０とを含み構成されている。
【００１８】
伸縮ポール１０は、長さ方向に並ぶ複数本の円筒形の筒体１１ａ〜１１eにより構成されている。各筒体１１ａ〜１１eは、伸縮ポール１０において、相対的に基端側を構成するものよりも相対的に先端側を構成するものの方が、順次径が小さくなっている。伸縮ポール１０は、相対的に基端側の筒体（例えば１１ｃ）の内側に相対的に先端側の筒体（例えば１１ｂ）が収納されることで全長が縮まり、相対的に基端側の筒体の内側から相対的に先端側の筒体が引き出されることで全長が伸びる。
【００１９】
伸縮ポール１０は、非導電性の材料で形成されている。伸縮ポール１０を伸ばして作業する際に、伸縮ポール１０に雷が落ちやすくならないようにするためである。本実施形態では、前記材料はグラスファイバーである。
【００２０】
最も先端側の筒体１１ａを除く各筒体１１ｂ〜１１eの先端部には、固定具１２が設けられている。各筒体１１ａ〜１１eの固定具１２は、その筒体よりも１つ先端側（内側）にある筒体を、所望の長さだけ引き出した状態で固定するものである。具体的には、各固定具１２は、内側の筒体を外側から締め付けることで固定し、その締め付けを解除することで前記固定を解除するように構成されている。
【００２１】
より具体的には、各固定具１２は、筒体の先端部の取り付けられたリング１２ａと、リング１２ａに軸着されたロックレバー１２ｂとを含み構成されている。ロックレバー１２ｂは、一方に回動させると、リング１２ａを縮径させることにより締付けを行い、他方に回動させると、リング１２ａを拡径させることにより締付けを解除する。
【００２２】
最も先端側（内側）の筒体１１ａは、他の筒体１１ｂ〜１１ｅよりも若干長くなっている。そのため、伸縮ポール１０の全長を最も短くした状態でも、最も先端側の筒体１１ａの先端部は、他の筒体１１ｂ〜１１eの先端よりも先に突出するように構成されている。
【００２３】
伸縮ポール１０を最も縮めたときのシール材押込み工具５１の全長は約１．５ｍである。また、伸縮ポール１０を最も伸ばしたときのシール材押込み工具５１の全長は約１２ｍである。むろん、これらの寸法は適宜変更可能であるが、伸縮ポール１０を最も縮めたときのシール材押込み工具５１の全長は、１〜３ｍであることが好ましい。１ｍに満たないと、目的の長さにまで伸長可能にするのに必要な筒体１１ａ〜１１ｅの数が多くなりすぎるおそれがある一方、３ｍを超えると、シール材押込み工具５１を持ち運びにくくなるおそれがあるからである。
【００２４】
他方、伸縮ポール１０を最も伸ばしたときのシール材押込み工具５１の全長は、第４発明に記載のとおり、３ｍ以上であることが好ましい。前記全長は、より十分に高い所までローラ３０が届くようになる点で、５ｍ以上であることがより好ましく、７ｍ以上であることがさらに好ましい。また、前記全長は、第４発明に記載のとおり２０ｍ以下であることが好ましい。前記全長は、シール材押込み工具の重量等をより抑えられる点で、１７ｍ以下であることがより好ましく、１５ｍ以下であることがさらに好ましい。
【００２５】
最も先端側の筒体１１ａの外径は、約２０ｍｍである。最も基端側の筒体１１ｅの外径は、約６０ｍｍである。むろん、これらの寸法も適宜変更可能である。
【００２６】
ローラ３０は、ローラ取付部２０により、伸縮ポール１０の先端部に回転可能に取り付けられている。ローラ３０の中心は、伸縮ポール１０の中心線の延長線上に配されている。
【００２７】
ローラ３０の直径は約７５ｍｍである。むろん、前記直径は適宜変更可能であるが、後述する理由から、５５ｍｍ以上であることが好ましい。また、前記直径は、１５０ｍｍ以下であることが好ましい。１５０ｍｍを超えると、ローラ３０が大きくなりすぎることで、伸縮ポール１０の先端側が重くなりすぎて、伸縮ポール１０を基端側から操作しにくくなるおそれがあるからである。なお、前記直径は、伸縮ポール１０をより操作しやすくなる点で１２０ｍｍ以下であることがより好ましい。
【００２８】
図１（ｂ）は、シール材押込み工具５１を示す背面図である。ローラ取付部２０は、金具であって、幅方向に間隔を置いて並設された２本の支持腕２３と、２本の支持腕２３の基端どうしを繋ぐ繋ぎ部２２とを含み構成されている。繋ぎ部２２の中間部は、最も先端側の筒体１１ａの先端部にボルトＢで回転不能に固定されている。
【００２９】
ローラ３０は、２本の支持腕２３の相互間に配されており、支持軸２４を介して２本の支持腕２３に軸着されている。詳しくは、支持軸２４は、２本の支持腕２３を貫通したボルトである。支持軸２４は、先端部に雄ネジ部を備え、その雄ネジ部にナット２４ａが螺着されている。ローラ３０の幅方向の両端部には、角を丸めた形の面取り部３４が設けられている。この面取り部３４は、曲面状に膨らむ形状をしている。
【００３０】
ローラ３０の幅は約１６ｍｍである。むろん、前記幅は適宜変更可能であるが、ローラ３０の幅は、一般的な大きさの目地８６にちょうど嵌る大きさが好ましいことから、１０〜２０ｍｍであることが好ましい。
【００３１】
図２は、シール材押込み工具５１の使用時の状態を示している。外壁パネル８１の目地８６には、シール材８８が嵌められている。シール材８８は、本実施形態では定型シールである。まずは、シール材８８の状態を、作業者Ｈが目視で確認する。シール材８８の一部が目地８６から外れているのを発見したら、伸縮ポール１０を、シール材８８の外れている部分にまで届く適度な長さに伸ばす。そして、最も基端側（外側）の筒体１１ｅを持って、伸縮ポール１０を操作することにより、ローラ３０をシール材８８の外れている部分に当接させる。その状態で、伸縮ポール１０の操作により、ローラ３０を目地８６の長さ方向に回転移動させることでシール材８８を目地８６に押し込む。前記回転移動は、ローラ３０を目地８６に沿って往復移動させることにより、複数回行うとよい。
【００３２】
図３は、シール材押込み工具５１の使用時の状態を示す平面断面図である。外壁パネル８１どうしの間に溝状の目地８６が形成されており、目地８６の奥側にシール材８８が嵌め込まれている。目地８６の手前側は、シール材８８の表面を底面とし、２つの外壁パネル８１の側面を内側面とする溝８６ａになっている。その溝８６ａの両内側面は、奥側から手前側に進むのに従い溝幅が広くなる形で傾斜した傾斜面８７になっている。ローラ３０の面取り部３４は、前記傾斜面８７に当接する。それにより、ローラ３０が、目地８６の長さ方向にガイドされる。
【００３３】
次に、前述の、ローラ３０の直径が５５ｍｍ以上であることが好ましい理由について説明する。外壁パネル８１の表面に凹凸模様等がある場合には、図４（ａ）（ｂ）に示すように、外壁パネル８１における目地８６の真横に位置する部分にも凹部分８３と凸部分８４とからなる凹凸が形成される。この場合において、図４（ａ）に示すように、ローラ３０の直径が所定長さに満たない大きさだと、ローラ３０が凹部分８３の真横にきた際に、前記凹部分８３に隣り合ういずれの凸部分８４の真横にもローラ３０がかからないことで、ローラ３０が側方にずれやすくなる。そのため、ローラ３０が目地８６から外れやすくなる。
【００３４】
その点、図４（ｂ）に示すように、ローラ３０の直径が前記所定長さ以上の大きさだと、ローラ３０が凹部分８３の真横にきた際に、前記凹部分８３に隣り合ういずれかの凸部分８４の真横にローラ３０がかかることで、ローラ３０が側方にずれにくくなる。そのため、ローラ３０が目地８６から外れにくくなる。前記所定長さは、凹凸模様の形状によって変わるが、一般的な前記所定長さは、本発明者が試してみたところ５５ｍｍであった。以上の理由により、ローラ３０の直径は、上記のとおり、５５ｍｍ以上であることが好ましい。なお、前記直径は、目地８６からローラ３０がより外れにくくなる点で、６５ｍｍ以上であることがより好ましい。
【００３５】
本実施形態によれば、建物の２階部分や３階部分等、作業者Ｈの手の届かない高所で目地８６からシール材８８の一部が外れた場合にも、梯子等をかけることなく、シール材８８を目地８６に押し込むことができる。
【００３６】
また、最も基端側の筒体１１ｅの直径（６０ｍｍ）よりも、ローラ３０の直径（７５ｍｍ）の方が大きいため、伸縮ポール１０を鉛直に立てた状態でも、最も基端側の筒体１１ｅの前端よりもローラ３０の前端の方が前方に突出する。そのため、最も基端側の筒体１１ｅ又はそれを持つ作業者Ｈの手が外壁８０の下部に当接するよりも先に、ローラ３０をシール材８８の目的部分に当接させ易い。そのため、シール材押込み工具５１の狭小地等での使い勝手がよい。
【００３７】
［第２実施形態］
次に第２実施形態を説明する。本実施形態は、第１〜第４発明に加えて、第５発明を実施したものである。本実施形態については、第１実施形態と異なる点のみを説明する。
【００３８】
図５は、第２実施形態のシール材押込み工具５２を示す側面図である。ローラ取付部２０は、繋ぎ部２２の中間部からローラ３０側の反対側に延びるアーム２１を備えている。アーム２１の端部は伸縮ポール１０の先端部に、回動調整機構２１ａを介して、ローラ３０の軸線と平行に延びる軸線回りに回動調節可能に取り付けられている。その回動調節により、アーム２１が端部を軸に回転して、伸縮ポール１０の長さ方向に対するアーム２１の長さ方向の角度が変更される。それにより、伸縮ポール１０の先端部に対するローラ３０の位置が変更される。そのため、ローラ３０の中心を、伸縮ポール１０の中心線の延長線上に配することも、延長線上から前方にずれた位置に配することもできる。
【００３９】
本実施形態によれば、第１実施形態の効果に加えて、次の効果を得ることができる。前記回動調節をすることにより、伸縮ポール１０の先端部に対するローラ３０の位置を、シール材８８に力を加えやすい位置に適宜調節することができる。また、作業者Ｈが伸縮ポール１０を持つ角度が変わっても、前記回動調節をすることにより、ローラ３０を適切な角度で目地８６に当接させることができる。
【００４０】
［第３実施形態］
次に第３実施形態を説明する。本実施形態については、実施形態１と異なる点のみを説明する。
【００４１】
図６（ａ）は、第１実施形態のシール材押込み工具５１を示す底面断面図であり、詳しくは、図１（ｂ）に示すVIａ−VIａ線の断面を示す図である。他方、図６（ｂ）は、本実施形態のシール材押込み工具５３を示す底面断面図である。以下では、ローラ３０の幅方向を左右方向とし、伸縮ポール１０の長さ方向に直交し且つ左右方向に直交する方向を前後方向とする。本実施形態では、各筒体１１ａ〜１１ｅは、左右方向よりも前後方向に長い断面形状をしている。詳しくは、各筒体１１ａ〜１１ｅは、左右方向に短軸を備え前後方向に長軸を備えた楕円筒形をしている。
【００４２】
本実施形態によれば、第１実施形態の効果に加えて、次の効果を得ることができる。各筒体１１ａ〜１１ｅが左右方向よりも前後方向に長い断面形状をしているため、伸縮ポール１０が特に前後方向に撓みにくくなる。そのため、ローラ３０でシール材８８を前方の目地８６に押し込んだ際に、その反力で伸縮ポール１０の先端側が後方に反り返るのを抑えることができる。
【００４３】
［他の実施形態］
上記第１〜第３の実施形態は、次のように変更して実施することもできる。例えば、伸縮ポール１０をグラスファイバーで形成するのに代えて、カーボンファイバー、各種樹脂、各種金属等で形成してもよい。
【００４４】
また、伸縮ポール１０の中心線の延長線上にローラ３０の中心を配するのに代えて、延長線上から前方にずれた位置にローラ３０の中心を配するようにしてもよい。この場合には、ローラ３０の前方への突出長が大きくなる。そのため、シール材８８を押し込む反力により伸縮ポール１０の先端側が後方に反り返った場合にも、ローラ３０を確実にシール材８８に当接させることができる。
【００４５】
また、各筒体１１ａ〜１１ｅを円筒形又は楕円筒形にするのに代えて、四角筒形又は六角筒形等にしてもよい。また、最も先端側の筒体１１ａを、内側に筒穴を備えない棒体に変更してもよい。また、伸縮ポール１０を複数本の筒体１１ａ〜１１ｅから構成するのに代えて、一本の筒体と、その内側に挿入された一本の棒体とから構成してもよい。
【符号の説明】
【００４６】
１０…伸縮ポール、１１ａ…最も先端側の筒体、１１ｂ…筒体、１１ｃ…筒体、１１ｄ…筒体、１１ｅ…最も基端側の筒体、２０…ローラ取付部、３０…ローラ、５１…シール材押込み工具、５２…シール材押込み工具、５３…シール材押込み工具、８１…外壁パネル、８６…目地、８８…シール材。
【図１】
2019116811.tif 000003
【図２】
2019116811.tif 000004
【図３】
2019116811.tif 000005
【図４】
2019116811.tif 000006
【図５】
2019116811.tif 000007
【図６】
2019116811.tif 000008